(57)【要約】【課題】複数の模様同士が重なる場合でも、後から重ねる模様を下絵どおりの正確な位置にフェルティング刺繍することのできるフェルティング刺繍用下絵シート、フェルティング刺繍方法、並びにこのフェルティング刺繍方法を用いて製作された刺繍生地及びワッペンを提供する【解決手段】フェルティングニードル４０で繊維２０を繰り返し刺して、フェルティング刺繍用の繊維２０を絡ませて所望の模様を形成するフェルティング刺繍の下絵１１が描かれるものであり、下絵１１上に配置された繊維２０とともにフェルティング刺繍されるフェルティング刺繍用下絵シートであって、フェルティング刺繍用下絵シート１０の材料を、水溶性のポリビニルアルコールとする。【選択図】図１
2014231655.tif 000002
【特許請求の範囲】
【請求項１】
フェルティングニードルでフェルティング刺繍用の繊維を繰り返し刺して、前記繊維を絡ませて所望の模様を形成するフェルティング刺繍の下絵が描かれるものであり、前記下絵上に配置された前記繊維とともに前記フェルティングニードルで刺されるフェルティング刺繍用下絵シートであって、
前記フェルティング刺繍用下絵シートの材料は、水溶性のポリビニルアルコールであることを特徴とするフェルティング刺繍用下絵シート。
【請求項２】
請求項１に記載のフェルティング刺繍用下絵シートであって、
前記フェルティング刺繍用下絵シートは、不織布又はフィルムのいずれかであることを特徴とするフェルティング刺繍用下絵シート。
【請求項３】
請求項１又は２に記載のフェルティング刺繍用下絵シートに所望の模様の下絵を描いた後に、前記フェルティング刺繍用下絵シートを生地上に載置する載置工程と、
前記載置工程後に、フェルティング刺繍用の繊維を前記フェルティング刺繍用下絵シート上に配置し、前記繊維、前記フェルティング刺繍用下絵シート及び前記生地を重ねたまま前記繊維を前記フェルティングニードルで繰り返し刺して前記フェルティング刺繍用下絵シートに描かれた下絵に沿ってフェルティング刺繍を施すフェルティング刺繍工程と、
前記フェルティング刺繍工程後に、前記フェルティング刺繍用下絵シートを溶出させる溶出工程と、
を備えることを特徴とするフェルティング刺繍方法。
【請求項４】
請求項１又は２に記載のフェルティング刺繍用下絵シートに所望の模様の下絵を描いた後に、フェルティング刺繍用の繊維を前記フェルティング刺繍用下絵シート上に配置し、前記繊維及び前記フェルティング刺繍用下絵シートの両方を前記フェルティングニードルで繰り返し刺して前記繊維を互いに絡ませることにより前記下絵に沿った形状の基盤となるニードルフェルトを形成する基盤形成工程と、
前記基盤形成工程により形成されたニードルフェルトの上に、前記下絵とは異なる所望の模様の下絵が描かれた請求項１又は２に記載のフェルティング刺繍用下絵シートを重ねてからその上にフェルティング刺繍用の他の繊維を配置し、この状態で前記他の繊維をフェルティングニードルで繰り返し刺して前記ニードルフェルトに模様を重ねる模様重合工程と、
前記模様重合工程後に、前記フェルティング刺繍用下絵シートを完全に溶かさずに残存させる水溶工程と、
を備えることを特徴とするフェルティング刺繍方法。
【請求項５】
請求項３に記載のフェルティング刺繍方法を用いて製作されたことを特徴とする刺繍生地。
【請求項６】
請求項４に記載のフェルティング刺繍方法を用いて製作されたことを特徴とするワッペン。
【発明の詳細な説明】
【技術分野】
【０００１】
本発明は、フェルティング刺繍用下絵シート、フェルティング刺繍方法、並びにこのフェルティング刺繍方法を用いて製作された刺繍生地及びワッペンに関する。
【背景技術】
【０００２】
従来より、生地にまとまった量の繊維（例えば羊毛、アクリル繊維など）をフェルティング刺繍する方法として非特許文献１が知られている。以下、図１６〜図２１を参照しながら従来から知られているフェルティング刺繍方法について説明する。
【０００３】
図１６は、従来のフェルティング刺繍方法のフロー、図１７は、従来の下絵シートの平面図、図１８は、従来の下絵転写工程を説明する説明図、図１９は、従来の下絵転写工程後の生地の状態を説明する説明図、図２０は、従来のフェルティング刺繍工程を説明する図であって、（ａ）は、平面図、（ｂ）は（ａ）に示すXX−XX線に沿う断面図、図２１は、従来のフェルティング刺繍された生地を示す図であって、（ａ）は、平面図、（ｂ）は（ａ）に示すXXI−XXI線に沿う断面図である。
【０００４】
非特許文献１には、下絵作成工程、下絵転写工程、フェルティング刺繍工程を備えたフェルティング刺繍方法が開示されている（図１６参照）。
【０００５】
下絵作成工程は、半透明な下絵シート（トレーシングペーパー１００）にフェルティング刺繍する下絵１１を作成する工程である（図１７参照）。図１７では、三角形の屋根部分の輪郭線１１ａと、家本体部分の輪郭線１１ｂと、家本体部分に設けられた窓部分の輪郭線１１ｃと、から構成された家の下絵１１がトレーシングペーパー１００に描かれた例を示している。
【０００６】
下絵転写工程は、図１８に示すように、フェルティング刺繍を施す生地３０と、下絵１１が書かれたトレーシングペーパー１００との間に、チャコペーパー２００を介在させ、トレーシングペーパー１００に描かれた下絵１１の各輪郭線１１ａ，１１ｂ，１１ｃをなぞって下絵１１を生地３０に転写する工程である。これにより、生地３０上に下絵１１が転写される（図１９参照）。
【０００７】
フェルティング刺繍工程は、生地３０上の下絵１１に沿って繊維を配置し、フェルティングニードル（後述する図５参照）を使って繊維を下絵１１の輪郭線１１ａ，１１ｂ内の生地３０に抜き差ししてフェルティング刺繍を施す工程である。これにより、繊維と生地３０が互いに絡み合うため、生地３０に繊維をフェルティング刺繍することができる。図示例では、まず、生地３０の屋根部分の輪郭線１１ａ内に屋根部分を刺繍する繊維２０ａ（例えば、赤色の羊毛）を配置し、繊維２０ａの上からフェルティングニードルを生地３０に抜き差しして生地３０に屋根部分を刺繍する。次いで、屋根部分と同様に、家本体部分の輪郭線１１ｂ内に家本体部分を刺繍する繊維２０ｂ（例えば、白色の羊毛）を配置し、繊維２０ｂの上からフェルティングニードルを生地３０に抜き差しして生地３０に家本体部分を刺繍する（図２０（ａ）及び図２０（ｂ）参照）。この時点で、窓部分の輪郭線１１ｃが家本体部分の繊維２０ｂに覆われて隠れてしまうが、輪郭線１１ｃの位置を目論んで窓部分を描く繊維２０ｃ（例えば、青色の羊毛）を家本体部分の繊維２０ｂ上に配置し、前述した方法と同様の方法でフェルティング刺繍を施す。
【０００８】
これにより、生地３０に家の模様がフェルティング刺繍された刺繍生地１１０を製作することができる（図２１（ａ）及び図２１（ｂ）参照）。
【先行技術文献】
【非特許文献】
【０００９】
【非特許文献１】「羊毛フェルティング刺しゅう（初版）」、発行所：河出書房新社、発行日（初版）：２００９年１０月３０日、ｐ２０−２２
【発明の概要】
【発明が解決しようとする課題】
【００１０】
従来のフェルティング刺繍方法にあっては、生地３０上に下絵１１のすべての輪郭線を描いてからフェルティングするため、上記の例における家本体部分と窓部分のように、複数の模様同士が重なるところでは、後からフェルティング刺繍される模様の下絵（上記の例では窓部分の輪郭線１１ｃ）が、先にフェルティング刺繍される模様の繊維（上記の例では２０ｂ）によって覆われてしまい、見えなくなる。したがって、複数の模様同士が重なるところでは、後からフェルティング刺繍される模様は、先にフェルティング刺繍された模様に覆われて見えなくなった下絵を頭の中で思い描きながらおおよその位置に施されることとなる。つまり、フェルティング刺繍された模様上に、さらに他の模様を重ねる際は、重ねる模様用の繊維を正確な位置にフェルティングすることができず、仕上がりの見栄えが良くないといった問題があった。
【００１１】
ところで、従来のフェルティング刺繍工程において、屋根部分の繊維２０ａ及び家本体部分の繊維２０ｂを生地３０にフェルティングした後に、再度、従来の下絵転写工程により家本体部分の繊維２０ｂ上に窓部分の輪郭線１１ｃを転写し、その後、家本体部分の繊維２０ｂに描かれた窓部分の輪郭線１１ｃを見ながら窓部分の繊維２０ｃをフェルティングすることで、下絵１１どおりの正確な位置にフェルティング刺繍することも考えられる。
【００１２】
しかし、フェルティング刺繍用の繊維は起毛素材であり、その表面が毛羽立っているため、繊維上に下絵を転写することは不可能であった。
【００１３】
本発明は、かかる点に鑑みてなされたものであり、その目的とするところは、複数の模様同士が重なる場合でも、後から重ねる模様を下絵どおりの正確な位置にフェルティング刺繍することのできるフェルティング刺繍用下絵シート、フェルティング刺繍方法、並びにこのフェルティング刺繍方法を用いて製作された刺繍生地及びワッペンを提供することにある。
【課題を解決するための手段】
【００１４】
上記目的を達するために、本発明は次のとおりの構成としている。
【００１５】
本発明に係るフェルティング刺繍用下絵シートは、フェルティングニードルでフェルティング刺繍用の繊維を繰り返し刺して、前記繊維を絡ませて所望の模様を形成するフェルティング刺繍の下絵が描かれるものであり、前記下絵上に配置された前記繊維とともに前記フェルティングニードルで刺されるフェルティング刺繍用下絵シートであって、前記フェルティング刺繍用下絵シートの材料は、水溶性のポリビニルアルコールであることを特徴とする。
【００１６】
このような構成により、本発明に係るフェルティング刺繍用下絵シートは、下絵上にフェルティング刺繍用の繊維が配置されて、フェルティング刺繍用の繊維とともにフェルティング刺繍されるものであるため、フェルティング刺繍用下絵シートに描かれた下絵を見ながら下絵どおりの正確な位置にフェルティング刺繍を施すことができる。また、フェルティング刺繍用下絵シートの材料が水溶性のポリビニルアルコールであるため、フェルティング刺繍用下絵シートを水溶させて除去することができる。
【００１７】
上記のフェルティング刺繍用下絵シートであって、前記フェルティング刺繍用下絵シートは、不織布又はフィルムのいずれかである構成とする。
【００１８】
このような構成により、フェルティング刺繍用下絵シートが不織布又はフィルムであるため、フェルティング刺繍用下絵シートを所望の大きさに加工することが容易である。また、フェルティングニードルを繰り返し刺す際、フェルティング刺繍用下絵シートが不織布又はフィルムのいずれかであるので、比較的力を入れずに刺すことができる。
【００１９】
本発明に係るフェルティング刺繍方法は、上記のフェルティング刺繍用下絵シートに所望の模様の下絵を描いた後に、前記フェルティング刺繍用下絵シートを生地上に載置する載置工程と、前記載置工程後に、フェルティング刺繍用の繊維を前記フェルティング刺繍用下絵シート上に配置し、前記繊維、前記フェルティング刺繍用下絵シート及び前記生地を重ねたまま前記繊維を前記フェルティングニードルで繰り返し刺して前記フェルティング刺繍用下絵シートに描かれた下絵に沿ってフェルティング刺繍を施すフェルティング刺繍工程と、前記フェルティング刺繍工程後に、前記フェルティング刺繍用下絵シートを溶出させる溶出工程と、を備えることを特徴とする。
【００２０】
また、本発明に係る刺繍生地は、上記のフェルティング刺繍方法を用いて製作されたことを特徴とする。
【００２１】
このような構成により、本発明に係るフェルティング刺繍方法は、フェルティング工程によって、フェルティング刺繍用下絵シート及び生地を重ねたまま繊維をフェルティングニードルで繰り返し刺してフェルティング刺繍を施すため、フェルティング刺繍用下絵シートに描かれた下絵を見ながら下絵どおりの正確な位置にフェルティング刺繍を施すことができる。また、本発明に係るフェルティング刺繍用下絵シートの材料が水溶性であるため、フェルティング刺繍用下絵シートが繊維とともにフェルティング刺繍されても、その後に水に溶出させることができ、生地上のフェルティング刺繍用下絵を完全に取り除くことができる。これにより、本発明のフェルティング刺繍方法によって製作された刺繍生地は、複数の模様同士が重なる場合でも、後から重ねられた模様が下絵どおりの正確な位置にフェルティング刺繍された仕上がりの見栄えの良い刺繍生地を提供することができる。
【００２２】
本発明に係るフェルティング刺繍方法は、上記のフェルティング刺繍用下絵シートに所望の模様の下絵を描いた後に、フェルティング刺繍用の繊維を前記フェルティング刺繍用下絵シート上に配置し、前記繊維及び前記フェルティング刺繍用下絵シートの両方を前記フェルティングニードルで繰り返し刺して前記繊維を互いに絡ませることにより前記下絵に沿った形状の基盤となるニードルフェルトを形成する基盤形成工程と、前記基盤形成工程により形成されたニードルフェルトの上に、前記下絵とは異なる所望の模様の下絵が描かれた上記記載のフェルティング刺繍用下絵シートを重ねてからその上にフェルティング刺繍用の他の繊維を配置し、この状態で前記他の繊維をフェルティングニードルで繰り返し刺して前記ニードルフェルトに模様を重ねる模様重合工程と、前記模様重合工程後に、前記フェルティング刺繍用下絵シートを完全に溶かさずに残存させる水溶工程と、を備えることを特徴とする。
【００２３】
また、本発明に係るワッペンは、上記のフェルティング刺繍方法を用いて製作されたことを特徴とする。
【００２４】
このような構成によれば、フェルティング刺繍用下絵シートの材料がポリビニルアルコールであるため、その特性上、粘着性を持たせることができることから、フェルティング刺繍用下絵シートを完全に溶かさずに残存させることでポリビニルアルコールが繊維内に含浸される。その結果、繊維同士が互いに強固に粘着しあい、従来のようなベース生地を使用しなくても、適度な剛性を有する丈夫なワッペンを製作することができる。
【発明の効果】
【００２５】
本発明によれば、複数の模様同士が重なる場合でも、後から重ねる模様を下絵どおりの正確な位置にフェルティング刺繍することのできるフェルティング刺繍用下絵シート、フェルティング刺繍方法、並びにこのフェルティング刺繍方法を用いて製作された刺繍生地及びワッペンを提供することができる。
【図面の簡単な説明】
【００２６】
【図１】本発明に係る第一実施形態のフローである。
【図２】本発明に係るフェルティング刺繍用下絵シートの平面図である。
【図３】第一実施形態の載置工程前の生地の状態を示す図であって、（ａ）は、平面図、（ｂ）は、（ａ）におけるIII−III線に沿う断面を模式的に示す図である。
【図４】第一実施形態の載置工程を説明する説明図である。
【図５】フェルティングニードルを示す図であって、（ａ）は、フェルティングニードルの先端部分を示す正面図、（ｂ）は、フェルティングニードルにおけるバーブを示す部分拡大図である。
【図６】第一実施形態のフェルティング刺繍工程を説明する説明図である。
【図７】第一実施形態の溶出工程前の生地を示す図であって、（ａ）は、平面図、（ｂ）は、（ａ）におけるVII−VII線に沿う断面を模式的に示す図である。
【図８】本発明に係る刺繍生地を示す図であって、（ａ）は、平面図、（ｂ）は、（ａ）におけるVIII−VIII線に沿う断面を模式的に示す図である。
【図９】本発明に係る第二実施形態のフローである。
【図１０】第二実施形態の基盤形成工程を説明する説明図である。
【図１１】基盤形成工程後のフェルティング刺繍用下絵シートを示す図であって、（ａ）は平面図、（ｂ）は、（ａ）におけるXI−XI線に沿う断面を模式的に示す図である。
【図１２】第二実施形態の模様重合工程を説明する説明図である。
【図１３】模様重合工程後のフェルティング刺繍用下絵シートを示す図であって、（ａ）は平面図、（ｂ）は、（ａ）におけるXIII−XIII線に沿う断面を模式的に示す図である。
【図１４】本発明に係るワッペンを示す図であって、（ａ）は、平面図、（ｂ）は、（ａ）におけるXIV−XIV線に沿う断面を模式的に示す図である。
【図１５】本発明に係るワッペンを鞄に取り付けた状態を示す正面図である。
【図１６】従来のフェルティング刺繍方法のフローである。
【図１７】従来の下絵シートの平面図である。
【図１８】従来の下絵転写工程を説明する説明図である。
【図１９】従来の下絵転写工程後の生地の状態を説明する説明図である。
【図２０】従来のフェルティング刺繍工程を説明する図であって、（ａ）は、平面図、（ｂ）は（ａ）におけるXX−XX線に沿う断面を模式的に示す図である。
【図２１】従来のフェルティング刺繍工程を説明する図であって、（ａ）は、平面図、（ｂ）は（ａ）におけるXXI−XXI線に沿う断面を模式的に示す図である。
【発明を実施するための形態】
【００２７】
以下、本発明に係るフェルティング刺繍方法について、２つの実施形態を説明する。
【００２８】
なお、本発明に係るフェルティング刺繍用下絵シート並びにワッペン及び刺繍生地の説明は、本発明に係るフェルティング刺繍方法の説明の中で行う。
【００２９】
［第一実施形態］
図１は、本発明に係る第一実施形態のフローである。本実施形態に係るフェルティング刺繍方法は、生地３０に繊維２０をフェルティング刺繍する方法であって、載置工程と、フェルティング刺繍工程と、溶出工程と、を備えることを特徴とする。
【００３０】
本実施形態では、生地３０に、三角形の屋根部分の繊維２０ａと、家本体部分の繊維２０ｂと、家本体部分の繊維２０ｂ内に設けられた窓部分の繊維２０ｃから構成された家の模様をフェルティング刺繍する例を説明することとする。
【００３１】
ここで、生地３０には、既に、従来技術によって、屋根部分及び家本体部分がフェルティング刺繍されているものとする（後述する図３参照）。つまり、本実施形態では、生地３０の家本体部分の繊維２０ｂがフェルティング刺繍された上に、窓部分の繊維２０ｃをフェルティング刺繍するフェルティング刺繍方法について説明する。
【００３２】
なお、屋根部分の繊維２０ａ及び家本体部分の繊維２０ｂのフェルティング刺繍は、従来技術で開示された方法（つまり、下絵作成工程、下絵転写工程、フェルティング刺繍工程を施す方法）が施されたものとするが、本発明のフェルティング刺繍用下絵シート１０を用いてフェルティング刺繍するフェルティング刺繍方法が施されていてもよい。
【００３３】
以下、各工程毎に詳細に説明する。
【００３４】
・載置工程
まず、載置工程について、図２〜図４を参照しながら説明する。図２は、本発明に係るフェルティング刺繍用下絵シートの平面図、図３は、第一実施形態の載置工程前の生地の状態を示す図であって、（ａ）は、平面図、（ｂ）は、（ａ）におけるIII−III線に沿う断面を模式的に示す図である。図４は、第一実施形態の載置工程を説明する説明図である。
【００３５】
本実施形態に係る載置工程は、フェルティング刺繍用下絵シート１０に下絵１１を描いた後に、フェルティング刺繍用下絵シート１０を生地３０上に載置する工程である。
【００３６】
生地３０は、後述するフェルティングニードル４０を繰り返し刺して、繊維２０を絡ませることができる布又は織物であり、布又は織物でできたバッグやハンカチ等の手回り品や、洋服等の服飾品であってもよい。
【００３７】
フェルティング刺繍用下絵シート１０に描かれる下絵１１は、製作者が所望する任意の模様である。本実施形態では、三角形の屋根部分の輪郭線１１ａと、家本体部分の輪郭線１１ｂと、家本体部分の輪郭線１１ｂ内に窓部分の輪郭線１１ｃから構成された家の下絵１１としている（図２参照）。
【００３８】
フェルティング刺繍用下絵シート１０は、材料が水溶性のポリビニルアルコールであり、その形態は不織布又はフィルムのいずれかであって光透過性を有する。これにより、フェルティング刺繍用下絵シート１０をフェルティング刺繍された生地３０上に載置したとき生地３０上の模様を、フェルティング刺繍用下絵シート１０を通して視認することができる。よって、その模様に合わせて、フェルティング刺繍用下絵シート１０を生地３０上の正確な位置に載置することができる。（つまり、生地３０上の屋根部分の繊維２０ａ及び家本体部分の繊維２０ｂを、フェルティング刺繍用下絵シート１０を介して透視することができるので、この模様に合わせてフェルティング刺繍用下絵シート１０を生地３０上の正確な位置に載置することができる（図４参照）。）
この載置工程を終えたら、次工程であるフェルティング刺繍工程に移る。つまり、フェルティング刺繍を施す準備工程としては、従来技術で開示された転写工程を必要としない。
【００３９】
・フェルティング刺繍工程
次に、フェルティング刺繍工程について、図５〜図７を参照しながら説明する。
【００４０】
図５は、フェルティングニードルを示す図であって、（ａ）は、フェルティングニードルの先端部分を示す正面図、（ｂ）は、フェルティングニードルにおけるバーブを示す部分拡大図、図６は、第一実施形態のフェルティング刺繍工程を説明する説明図、図７は、第一実施形態のフェルティング刺繍工程後の生地を示す図であって、（ａ）は、平面図、（ｂ）は、（ａ）におけるVII−VII線に沿う断面を模式的に示す図である。
【００４１】
本実施形態に係るフェルティング刺繍工程は、フェルティングニードル４０を用いて、繊維２０を生地３０にフェルティング刺繍する工程である。
【００４２】
繊維２０は、フェルティング刺繍用の繊維であって、羊毛又はアクリル繊維のいずれかが使用されるが、それら両方を併用してもよい。また、繊維２０は、異なる色に染められた複数色のものが使用される。要するに、フェルティング刺繍される模様（図８（ａ）参照）の形態に相応しい色と量の繊維２０であればよい。本実施形態では、例えば、三角形の屋根部分には赤色の羊毛を、家本体部分には白色の羊毛を、窓部分には青色の羊毛を用いている。
【００４３】
フェルティングニードル４０は、図６に示すように、グリップ４１と、このグリップ４１の一端から突設された複数本のニードル４２とからなるものである。図示例のものでは、ニードル４２は３本であるが、本数は限定されず、例えば、１本又は２本でも、或いは、４本以上であってもよい。各ニードル４２の外面には、図５に示すように、複数のバーブ４２ａが形成されている。なお、ニードル４２の形態及びバーブ４２ａの形態は、図示例のものに限らない。
【００４４】
上述したフェルティングニードル４０を用いて生地３０にフェルティング刺繍を施すフェルティング刺繍工程の手順について、以下、説明する。
【００４５】
まず、前工程の載置工程でフェルティング刺繍用下絵シート１０が載置された生地３０を作業台５０に設置する。ここで、作業台５０はフェルティングニードル４０のニードル４２の破損を防止するため、発泡樹脂材で構成されていることが好ましいが、ニードル４２の破損を防ぐことができれば、他の材料でもよい。
【００４６】
次に、生地３０上に載置されたフェルティング刺繍用下絵シート１０の下絵１１に沿って繊維２０を配置する。すなわち、窓部分の輪郭線１１ｃ内に窓部分の繊維２０ｃ（例えば、青色の羊毛）を配置する。
【００４７】
そして、窓部分の繊維２０ｃ、フェルティング刺繍用下絵シート１０及び生地３０を重ねた状態で窓部分の繊維２０ｃをフェルティングニードル４０で繰り返し刺し、フェルティング刺繍用下絵シート１０に描かれた下絵１１に沿ってフェルティング刺繍を施す（図６参照）。繊維２０をフェルティングニードル４０で刺した際に、ニードル４２のバーブ４２ａが繊維２０に引っ掛かって生地３０及び繊維２０が絡まり合うため、生地３０に繊維２０をフェルティング刺繍することができる（図７（ａ）、（ｂ）参照）。
【００４８】
・溶出工程
次に、溶出工程について図８を参照しながら説明する。図８は、本発明の刺繍生地を示す図であって、（ａ）は、平面図、（ｂ）は、（ａ）におけるVIII−VIII線に沿う断面を模式的に示す図である。
【００４９】
溶出工程は、前述したフェルティング刺繍工程後に、フェルティング刺繍用下絵シート１０を溶出させる工程である。
【００５０】
フェルティング刺繍用下絵シート１０の材料は、水溶性のポリビニルアルコールであるため、フェルティング刺繍用下絵シート１０が繊維２０とともにフェルティング刺繍されても、その後に刺繍生地を水中に浸すことでフェルティング刺繍用下絵シート１０を水に溶出することができる。
【００５１】
これにより、フェルティング刺繍用下絵シート１０が完全に除去された刺繍生地１ａを製作することができる（図８（ａ）、（ｂ）参照）。
【００５２】
なお、フェルティング刺繍用下絵シート１０を溶出する前に、予め、フェルティング刺繍用下絵シート１０の余分な個所を切り取ってから、フェルティング刺繍用下絵シート１０を溶出させると、効率よくフェルティング刺繍用下絵シート１０を溶出することができる。
【００５３】
・本実施形態の効果
以上説明したとおり、本実施形態に係るフェルティング刺繍方法は、フェルティング刺繍用下絵シート１０及び生地３０を重ねたままフェルティング刺繍用下絵シート１０に描かれた下絵１１に沿ってフェルティング刺繍を施すため、フェルティング刺繍用下絵シート１０に描かれた下絵１１を見ながら下絵１１どおりの正確な位置にフェルティング刺繍を施すことができる。
【００５４】
また、本発明に係るフェルティング刺繍用下絵シート１０の材料が水溶性のポリビニルアルコールであるため、水に溶出させることができ、生地３０からフェルティング刺繍用下絵シート１０を完全に取り除くことができる。これにより、本実施形態に係るフェルティング刺繍方法によって製作された刺繍生地１ａは、複数の模様同士が重なる場合でも、後から重ねられた模様が下絵どおりの正確な位置にフェルティング刺繍された仕上がりの見栄えの良い刺繍生地を提供することができる。
【００５５】
なお、本実施形態では、家本体部分の上に窓部分がフェルティング刺繍された２層構造の刺繍生地１ａを製作する方法について説明したが、本実施形態に係るフェルティング刺繍方法では、３層以上の模様であっても製作することができる。３層構造以上の模様の刺繍生地を製作する場合は、積層数に相当する枚数のフェルティング刺繍用下絵シート１０を新たに用意し、再度、載置工程及びフェルティング刺繍工程を積層数に相当する回数繰り返す。これにより、３層構造以上の刺繍生地についても製作することができる。
【００５６】
［第二実施形態］
図９は、本発明に係る第二実施形態のフローである。本実施形態に係るフェルティング刺繍方法は、生地３０を用いずに、フェルティング刺繍用下絵シート１０に繊維２０をフェルティング刺繍する方法であって、基盤形成工程と、模様重合工程と、水溶工程と、を備えることを特徴とする。
【００５７】
以下、各工程毎に詳細に説明する。なお、本実施形態は、生地３０を用いない点及びフェルティング刺繍用下絵シート１０を完全に水に溶出させない点が異なるだけであるから、以下、その相違点についてのみ説明し、同一の構成については、同一符号を付してその説明を省略する。
【００５８】
・基盤形成工程
本実施形態に係る基盤形成工程について、図１０及び図１１を参照しながら説明する。      
【００５９】
図１０は、基盤形成工程を説明する説明図、図１１は、基盤形成工程後のフェルティング刺繍用下絵シートを示す図であって、（ａ）は平面図、（ｂ）は、（ａ）におけるXI−XI線に沿う断面を模式的に示す図である。
【００６０】
まず、フェルティング刺繍用下絵シート１０に下絵１１を描く。本実施形態においても、下絵１１は、三角形の屋根部分の輪郭線１１ａと、家本体部分の輪郭線１１ｂと、家本体部分の輪郭線１１ｂ内に窓部分の輪郭線１１ｃと、から構成された家の下絵１１として説明する。
【００６１】
次に、フェルティング刺繍用下絵シート１０の屋根部分の輪郭線１１ａ内に、屋根部分をフェルティングさせる繊維２０ａ（例えば、赤色の羊毛）を配置し、繊維２０ａの上からフェルティング刺繍用下絵シート１０にフェルティングニードル４０を抜き差ししてフェルティング刺繍用下絵シート１０に屋根部分の繊維２０ａをフェルティングさせる。
【００６２】
次いで、屋根部分と同様に、家本体部分の輪郭線１１ｂ内に、家本体部分をフェルティングさせる繊維２０ｂ（例えば、白色の羊毛）を配置し、繊維２０ｂの上からフェルティング刺繍用下絵シート１０にフェルティングニードル４０を抜き差ししてフェルティング刺繍用下絵シート１０に家本体の繊維２０ｂをフェルティングさせる（図１１（ａ）及び図１１（ｂ）参照）。
【００６３】
これにより、フェルティングニードル４０で繊維２０を互いに絡ませることができるため、下絵１１に沿った形状の基盤（ニードルフェルト１２）を形成することができる。
【００６４】
・模様重合工程
次に、模様重合工程について、図１２及び図１３を参照しながら、説明する。図１２は、模様重合工程を説明する説明図、図１３は、模様重合工程後のフェルティング刺繍用下絵シートを示す図であって、（ａ）は平面図、（ｂ）は、（ａ）におけるXIII−XIII線に沿う断面を模式的に示す図である。
【００６５】
まず、新たに別のフェルティング刺繍用下絵シート１０を用意し、このフェルティング刺繍用下絵シート１０に、基盤形成工程でフェルティング刺繍用下絵シート１０に描かれた下絵１１と同一の下絵１１を描く。
【００６６】
次に、前述したニードルフェルト１２上に、新たに下絵１１が描かれたフェルティング刺繍用下絵シート１０を重ねて載置する。前述したとおり、フェルティング刺繍用下絵シート１０の材料は光透過性を有するため、フェルティング刺繍用下絵シート１０からニードルフェルト１２の屋根部分の繊維２０ａ及び家本体部分の繊維２０ｂを透視することができる。よって、ニードルフェルト１２上の正確な位置に、フェルティング刺繍用下絵シート１０を重ねて載置することができる。
【００６７】
次に、フェルティング刺繍用下絵シート１０の窓部分の輪郭線１１ｃに相当する位置に、窓部分の繊維２０ｃ（例えば、青色の羊毛）を配置する。
【００６８】
そして、窓部分の繊維２０ｃの上方から、繊維２０ｂ、２０ｃ及びフェルティング刺繍用下絵シート１０のいずれにもフェルティングニードル４０を繰り返し刺して、家本体の繊維２０ｂ上に窓部分の繊維２０ｃをフェルティングさせる（図１２参照）。
【００６９】
これによって、フェルティング刺繍用下絵シート１０上に下絵１１どおりに繊維２０がフェルティングされたニードルフェルト１２を製作できる（図１３（ａ）、（ｂ）参照）。
【００７０】
・水溶工程
次に、水溶工程について図１４及び図１５を参照しながら説明する。図１４は、本発明のワッペンを示す図であって、（ａ）は、平面図、（ｂ）は、（ａ）におけるXIV−XIV線に沿う断面を模式的に示す図、図１５は、本発明のワッペンを鞄に取り付けた状態を示す正面図である。
【００７１】
まず、フェルティング刺繍用下絵シート１０のフェルティングがされていない、余分な部分を切り取る。その後、水溶工程を行う。
【００７２】
水溶工程は、模様重合工程後に、フェルティング刺繍用下絵シート１０を完全に溶かさずに残存させる工程である。
【００７３】
フェルティング刺繍用下絵シート１０の材料は水溶性のポリビニルアルコールであるため、水溶させると、ポリビニルアルコールの特性上、粘着性を持たせることができることから、フェルティング刺繍用下絵シート１０を完全に溶かさずに残存させることでポリビニルアルコールが繊維２０内に含浸される。その結果、繊維２０同士が互いに強固に粘着しあい、従来のようなベース生地を使用しなくても、適度な剛性を有する丈夫なワッペンを製作することができる（図１５参照）。
【００７４】
・本実施形態の効果
以上説明したとおり、本発明に係るフェルティング刺繍用下絵シート１０の材料が水溶性のポリビニルアルコールであるため、ポリビニルアルコールの特性上、水溶させると粘着性をもたせることができることから、フェルティング刺繍用下絵シート１０を完全に溶かさずに残存させることでポリビニルアルコールが繊維２０内に含浸される。その結果、繊維２０同士が互いに強固に粘着しあい、従来のようなベース生地を使用しなくても、適度な剛性を有する丈夫なワッペンを製作することができる。
【００７５】
なお、本実施形態では、家本体部分の上に窓部分が重合された２層構造のワッペン１ｂについて説明したが、３層以上のワッペンであっても製作することができる。３層構造以上のワッペンとする場合は、積層数に相当する枚数のフェルティング刺繍用下絵シート１０を新たに用意し、再度、模様重合工程を積層数に相当する工数分繰り返す。これにより、３層構造以上のワッペンについても製作することができる。
【００７６】
なお、上記に示した本発明の２つの実施形態はいずれも本発明を具体化した例であって、本発明の技術的範囲を限定する性格のものではない。
【符号の説明】
【００７７】
１ａ    刺繍生地
１ｂ    ワッペン
１０    フェルティング刺繍用下絵シート
１１    下絵
１１ａ  輪郭線（屋根部分）
１１ｂ  輪郭線（家本体部分）
１１ｃ  輪郭線（窓部分）
１２    ニードルフェルト
２０    繊維
２０ａ  繊維（屋根部分）
２０ｂ  繊維（家本体部分）
２０ｃ  繊維（窓部分）
３０    生地
４０    フェルティングニードル
４１    グリップ
４２    ニードル
４２ａ  バーブ
５０    作業台
【図１】
2014231655.tif 000003
【図２】
2014231655.tif 000004
【図３】
2014231655.tif 000005
【図４】
2014231655.tif 000006
【図５】
2014231655.tif 000007
【図６】
2014231655.tif 000008
【図７】
2014231655.tif 000009
【図８】
2014231655.tif 000010
【図９】
2014231655.tif 000011
【図１０】
2014231655.tif 000012
【図１１】
2014231655.tif 000013
【図１２】
2014231655.tif 000014
【図１３】
2014231655.tif 000015
【図１４】
2014231655.tif 000016
【図１５】
2014231655.tif 000017
【図１６】
2014231655.tif 000018
【図１７】
2014231655.tif 000019
【図１８】
2014231655.tif 000020
【図１９】
2014231655.tif 000021
【図２０】
2014231655.tif 000022
【図２１】
2014231655.tif 000023